(57)【特許請求の範囲】
【請求項１】
バーを格子状に組み合わせてなる格子状パネルの上記バー間に嵌挿され、パネル取付用の取付部とボルト等の止着手段によって連結される取付金具であって、上記バーが断面先細り状をなすか、或いは菱形をなす一方、上記取付金具が断面凹形をなして、上記バーとの接触面をテーパに形成し、上記取付部と取付金具を上記止着手段によって連結すると、取付金具がバー間に食い込み、楔作用でバー間に固定されることを特徴とする格子状パネルの取付金具。
【請求項２】
取付金具のバーとの接触面をバーと同じテーパに形成することを特徴とする請求項１記載の格子状パネルの取付金具。
【請求項３】
請求項１又は２記載の取付金具を凹部が取付部を向くようにしてパネル間に嵌挿したのち、取付金具と取付部とを上記止着手段で連結することを特徴とする格子状パネルの取付方法。
【請求項４】
請求項１又は２記載の取付金具を凹部が取付部とは反対側を向くようにしてパネル間に嵌挿したのち取付金具と取付部とを上記止着手段で連結することを特徴とする格子状パネルの取付方法。
【請求項５】
取付金具とバーとがボルトやネジ等よりなる第２の止着手段によって連結されることを特徴とする請求項１記載の格子状パネルの取付金具。
【発明の詳細な説明】
【０００１】
【発明が属する技術分野】
本発明は、採光性、透視性及び通風性を有し、フェンス、ルーバー、防護ネット、落下防止庇、階段、歩廊その他各種用途に用いられる格子状パネルの取付金具と、該金具によるパネルの固定方法に関する。
【０００２】
【従来技術】
従来のこの種の取付金具には、例えば図１に示すような取付部１ａの一側にフック状の引掛部１ｂを一体形成したもの、図２に示すような取付部２ａの両側にフック状の引掛部２ｂを一体形成したものなどがある。図３は、図４に示すようなバー３を格子状に組み合わせた形態を有するパネル４を図２に示す取付金具を用いて梁５やコンクリート躯体６に取付けた例を示すもので、パネル４の取付けは、梁５やコンクリート躯体６にＩ形又はＬ形の取付ピース７、８を取付けたのち、パネル４を取付ピース７、８に当てがい、ついで引掛部２ｂをバー３に嵌合したのち取付部２ａと取付ピース７、８とをボルト９及びナット１０にて連結してなるものである。
【０００３】
【発明が解決しようとする課題】
従来の取付け金具ではいづれも、パネルを取付けたとき取付金具がパネル上に露出し、景観を損ねていた。
本発明は、パネル上に露出することのない格子状パネルの取付金具と、該金具によるパネルの固定方法を提供することを目的とする。
【０００４】
【課題の解決手段】
請求項１記載の発明は、バーを格子状に組み合わせてなる格子状パネルの上記バー間に嵌挿され、パネル取付用の取付部とボルト等の止着手段によって連結される取付金具であって、上記バーが断面先細り状ををなすか、或いは菱形をなす一方、上記取付金具が断面凹形をなして、上記バーとの接触面をテーパに形成し、上記取付部と取付金具を上記止着手段によって連結すると、取付金具がバー間に食い込み、楔作用でバー間に固定されることを特徴とする。
【０００５】
本発明によると、取付金具はバー間に嵌挿され、パネル上に露出しない。止着手段もバー間に位置させ、パネル上に突出させないようにすることができる。
また、パネルには樹脂で一体成形されたものがある。こうしたものでは、離型を容易にするためにバーは断面先細り状をなしているものが多く、断面菱形をなしているものもある（パネルは鋳物製とすることもでき、こうした場合も離型性の面からバーは断面先細り状をなすか、菱形をなすことが望まれる）。こうしたパネルでは、取付金具と取付部を止着手段、例えばボルトで連結し、ボルトを捩込むと取付金具がバー間に食い込み、楔作用で取付金具がバー間に強固に保持されるようになる。
【０００６】
請求項２記載の発明は、取付金具のバーとの接触面をバーと同じテーパに形成することを特徴とする。
本発明のように、取付金具のバーとの接触面のテーパをバーと同じテーパに形成すれば、バーとの接触面積が増加してバーとの摩擦保持力がより増加する。
【０００７】
請求項３記載の発明は、請求項１又は２記載の発明の取付金具を用いたパネルの固定方法に関するもので、取付金具を凹部が取付部を向くようにしてパネル間に嵌挿したのち、取付金具と取付部とを止着手段で連結することを特徴とし、
請求項４記載の発明は、取付金具を凹部が取付部とは反対側を向くようにしてパネル間に嵌挿したのち取付金具と取付部とを止着手段で連結することを特徴とする。
【０００８】
請求項５記載の発明は、請求項１記載の発明において、取付金具とバーとがボルトやネジ等よりなる第２の止着手段によって連結されることを特徴とする。
本発明によると、取付金具とバーとの摩擦保持力がないか、摩擦保持力が弱くても取付金具をバーに固定することができ、したがってパネルの固定を確実に行うことができる。
【０００９】
【発明の実施の形態】
図５は、図３と同様、梁５とコンクリート躯体６に本発明に係わる取付金具を用いて固定したパネル４について示すもので、取付金具１２は図６に示すようにパネル４との接触面がバー３と同じテーパをなして先端が若干窄む断面凹形をなし、底部と両側面にはボルト通し孔を有している。
【００１０】
パネル４を取付部である取付ピース７に固定するときには、取付金具１２を凹部が取付ピース７を向くようにして押込む。押込みにより取付金具１２はバー間に摩擦保持され、バー間に仮止めされた状態となる。その後、取付金具１２と取付ピース７とにボルト１３を通してナット１４で締込み固定すると共に、ボルト１３を挟んでバー間に通した一対のボルト１５で取付金具１２をバー３に固定する（図７）。
【００１１】
図８は、先端を上記と逆に若干拡開させた取付金具１７による取付例を示すもので、凹部を上記とは逆向きにしてバー間に嵌挿したのち取付金具底部と取付ピース７とをボルト１８及びナット１９にて連結すると共に、ボルト２０にて取付金具１２をバー３に固定するようになっている。図９は、断面菱形をなすバー２２に取付金具１２を取付けた例を示すものである。
【００１２】
【発明の効果】
請求項１記載の発明によると、取付金具がバー間に嵌挿され、パネル外部に露出しないため従来のものに比べ景観が改善される。また取付金具が楔作用でバー間に保持されることによりパネルへの保持力が増加する。
請求項２記載の発明においては更に、バーへの接触面積が増してパネルへの保持力がより一層増加する。
【００１３】
請求項５記載の発明によると、取付金具がバーに止着手段によって固定され、パネルを取付部へ固定するのが確実に行われる。
【図面の簡単な説明】
【図１】従来の取付金具の使用例を示す図。
【図２】従来の取付金具の別の使用例を示す図。
【図３】パネルの取付例を示す図
【図４】パネルの斜視図。
【図５】本発明に係わる取付金具を用いたパネルの取付例を示す図。
【図６】図５の要部拡大断面図。
【図７】同要部拡大底面図。
【図８】取付金具の別の態様の取付例を示す図。
【図９】バーが断面菱形をなす場合の取付例を示す図。
【符号の説明】
３、２２・・バー
４・・パネル
７・・取付ピース
１２、１７・・取付金具
１３、１５、１８・・ボルト
１４、１９・・ナット
【図１】
0003767994.tif 000002
【図２】
0003767994.tif 000003
【図３】
0003767994.tif 000004
【図４】
0003767994.tif 000005
【図５】
0003767994.tif 000006
【図６】
0003767994.tif 000007
【図７】
0003767994.tif 000008
【図８】
0003767994.tif 000009
【図９】
0003767994.tif 000010